(57)【要約】【課題】  本発明は、遠隔地（海外等）から、個々のコンピューター、パーソナルサーバー、或いは、録画再生装置等をインターネットを通じてユーザーが良質のテレビ画像（動画）を得る為のコンピューター、パーソナルサーバー、或いは、録画再生装置等の委託管理メンテナンスサービスを提供する。【解決手段】  本発明は  遠隔地（海外等）では現在のインターネットを使用しても、テレビ画像（動画）は再生時間が長ければ長いほど容量が大きく、テレビ画像（動画）が止まる等、良質なテレビ画像（動画）を得る事が困難である。この良質なテレビ画像（動画）を得るために  ストリーミングサーバーによるマルチキャストストリーミング方式を採用することにより、遠隔地（海外等）においてインターネットを通じて良質のテレビ画像（動画）を得る事ができる、コンピューター、パーソナルサーバー、或いは、録画再生装置等の委託管理メンテナンスサービスを提供できる。【選択図】  図１
2005229555.tif 000002
【特許請求の範囲】
【請求項１】
複数のユーザーが個々に所有するコンピューター、パーソナルサーバー、或いは、録画再生装置の委託管理メンテナンスサービスであり、特に遠隔地（海外等）にてインターネットを通じてユーザーがユーザー個々のコンピューター、パーソナルサーバー、或いは、録画再生装置でユーザーの希望するテレビ番組を録画再生、或いはラジオ番組を録音再生する。録画、録音再生装置としてはビデオテープ、ＤＶＤ、ハードディスク等がある。複数のユーザーの個々に所有するコンピューターとテレビ番組の録画再生装置等、或いはラジオ番組の録音再生装置等をユーザーの指定する場所、或いは、管理とメンテナンスの効率性から管理センター等にて、預り、委託管理メンテナンスをするサービスである。この管理サービスにおいて、各個人がテレビ映像を再生するときに、良品質の画像を各個人が受信できるように、ストリーミングサーバーによるマルチキャストストリーミング方式を採用する委託管理メンテナンスサービスである。
【発明の詳細な説明】
【技術分野】
【０００１】  本発明は、遠隔地（海外等）にてインターネットを通じてユーザーがユーザー個々のコンピューターパーソナルサーバー  或いは、録画再生装置等でユーザーの希望するテレビ番組を録画再生する為のコンピューター、パーソナルサーバー、或いは、録画再生装置等の委託管理とメンテナンスサービスに関する。
【背景技術】
【０００２】  従来、録画代行サービス、或いは、インターネット等ＩＴ（情報技術）を使った過去のテレビ放送番組映像を提供するシステム等（特許文献１）や録画代行サービスシステム（特許文献２）がある。これらのサービスは日本国内を目的とする代行サービス、或いは、システムサービスである。海外にいるユーザーは家族や友人に希望するテレビ放送を録画したビデオテープやＤＶＤを送ってもらって見ているのが現状である。【０００３】
【特許文献１】  特許公開２００２−０６３１７４
【特許文献２】  特許公開２００２−２９０８８２
【発明の開示】
【発明が解決しようとする課題】
【０００４】  本発明が解決しようとする課題は、特に遠隔地（海外等）にいるユーザー及びユーザーの子女がテレビ放送を通じて最新の国内事情、流行を見聞したいと希望している現状では、例えば、日本においては、ＮＨＫの海外衛星放送のみであり、民間放送をより早く見たいと希望するユーザーの為に、インターネットを通じてユーザーがユーザー個々のコンピューターでユーザーの希望するテレビ番組を録画再生するコンピューター、パーソナルサーバー、或いは、録画再生装置等の委託管理メンテナンスサービスを提供する目的である。
【課題を解決する為の手段】
【０００５】  本発明は  遠隔地（海外等）では現在のインターネットを使用しても、テレビ画像（動画）は再生時間が長ければ長いほど容量が大きく、テレビ画像（動画）が止まる等、良質なテレビ画像（動画）を得る事が困難である。この良質なテレビ画像（動画）を得るために  ストリーミングサーバーによるマルチキャストストリーミング方式を採用することにより、遠隔地（海外等）においてインターネットを通じて良質のテレビ画像（動画）を得る事ができる、コンピューター、パーソナルサーバー、或いは、録画再生装置等の委託管理メンテナンスサービスを提供できる。
【発明の効果】
【０００６】  本発明のストリーミングサーバーによるマルチキャストストリーミング方式を採用することにより、良質のテレビ画像を提供できるユーザー個々のコンピューター、パーソナルサーバー、或いは、録画再生装置等の委託管理メンテナンスサービスである。
【発明を実施するための最良の形態】
【０００７】  本発明者は鋭意検討した結果、下記発明に到達した。すなわち、テレビの電波を共同アンテナよりユーザー個々の録画再生装置であるパーソナルコンピュータ  パーソナルサーバーにユーザー、或いは、録画再生装置等が録画し再生画像をインターネットを通じて送信する。録画する前、或いは送信する前にエンコード機器（エンコードソフト）で画像（動画）を圧縮し容量をコントロールする。ストリーミングサーバーによるマルチキャストストリーミング方式を採用することにより送信に特化した送信が可能となり、インターネットを通じて遠隔地（海外等）での良質のテレビ画像（動画）の提供が出来る、パーソナルコンピューター、パーソナルサーバー、或いは、録画再生装置等の委託管理メンテナンスサービスが可能となった。
【実施例１】
【０００８】    図１は、本発明のパーソナルサーバー（パーソナルコンピューター）に日本でテレビ放送を録画し、エンコーダーを介して  録画したテレビ放送を、ストリーミングサーバーより、マルチキャストスオリーミング方式により再生送信した。タイ王国のバンコックにおいて、ＡＤＳＬ（１Ｍｂｐｓ）のインターネット回線を介して受信し、パーソナルコンピューターにＷｉｎｄｏｗｓ  Ｍｅｄｉａ  Ｐｌａｙｅｒを使用して画面を再生した。  画質、音声は良好であった。
図２は、パーソナルコンピューターのビデオＯＵＴを介してテレビに画面を再生した。この場合も画質は良好で、画面がとまる事はなかった。
【実施例２】
【０００９】  図３は、ＡＤＳＬ回線から直接  市販のＳＥＴ  ＴＯＰ  ＢＯＸを介してテレビに直接接続した。この場合は、この市販のＳＥＴ  ＴＯＰ  ＢＯＸのメモリー容量が小さいために  時々画面が停止した。ＳＥＴ  ＴＯＰ  ＢＯＸのメモリーの容量を変更して、再度テレビに画面を再生した。  画質は良好で、画面がとまる事はなく良質の画面、音声が得られた。
【産業上の利用可能性】
【００１０】  本発明は、特に遠隔地（海外等）にいるユーザー及びユーザーの子女がインターネットを介して個々のパーソナルコンピューター、パーソナルサーバー、或いは、録画再生装置等より、テレビ放送を録画再生することにより最新の国内事情、流行を見聞し、教育、娯楽や文化の情報の格差をなくし、さらにホームシック等に対する対策のひとつとしても有効であり、母国を離れて遠隔地（海外等）にいるユーザーに母国との教育、娯楽や文化の情報の格差をなくす手段としても利用できる。
【図面の簡単な説明】
【００１１】
【図１】本発明の実施モデル全体図
【図２】本発明の実施モデルビデオＯＵＴ使用の全体図
【図３】本発明の実施モデルセットトップボックス使用の全体図
【符号の説明】
【００１２】  １  共同アンテナ
２  エンコーダー
３．マルチストリーミングサーバー
４．インターネット
５．ユーザー所有パーソナルサーバー群
６．ユーザー（パーソナルコンピューター）
７．ユーザー（モニター、テレビ）
８．セット  トップ  ボックス
【図１】
2005229555.tif 000003
【図２】
2005229555.tif 000004
【図３】
2005229555.tif 000005